(57)【要約】【課題】  簡単な構造で、安定した荷重分散が可能で、成形、組み立てが容易な把手の組み付き構造の創出を課題とし、低コストで、安定して使用可能な把手付き合成樹脂製壜体を提供することを目的とする。【解決手段】  壜本体と、この壜本体の上部後方に起立配設される（手で把持するための部分である）把持片の上端部から前方に嵌合頭片を延設し、下部から左右前方に壜本体の胴部を左右から挟持する一対の嵌合腕片を延設した把手部から構成し、嵌合頭片の先端部を壜本体の口筒部下端部に形成されたネックリングに、そして前記一対の嵌合腕片の先端部を壜本体胴部の両側面に突設した一対の嵌合凸部の基端部にそれぞれアンダーカット状に組み付け固定する。【選択図】図１
2006008233.tif 000002
【特許請求の範囲】
【請求項１】
壜本体(1)と、該壜本体(1)の上部後方に起立配設される把持片(12)の上端部から前方に嵌合頭片(13)を延設し、該把持片(12)の下部から左右前方に壜本体(1)の胴部(5)を左右から挟持する一対の嵌合腕片(15)を延設した把手部(11)から成り、前記嵌合頭片(13)の先端部を前記壜本体(1)の口筒部(2)下端部に形成されたネックリング(3)に、そして前記一対の嵌合腕片(15)の先端部を壜本体(1)胴部(5)の両側面(5a)に突設した一対の嵌合凸部(7)の基端部にそれぞれアンダーカット状に組み付き固定した把手付き合成樹脂製壜体。
【請求項２】
嵌合頭片(13)の先端部に頭片環状部(14)を、そして一対の嵌合腕片(15)の先端部に腕片環状部(16)を形成し、該頭片環状部(14)と腕片環状部(16)をそれぞれネックリング(3)の基端部および嵌合凸部(7)の基端部に外嵌させた状態でアンダーカット状に組み付き固定した請求項１記載の把手付き合成樹脂製壜体。
【請求項３】
腕片環状部(16)を、嵌合凸部(7)の基端部の少なくとも下半分部分にアンダーカット状に組み付き固定した請求項２記載の把手付き合成樹脂製壜体。
【請求項４】
インサート成形方法により嵌合腕片(15)の先端部を壜本体(1)胴部(5)の両側面に(5a)突設した一対の嵌合凸部(7)の基端部にアンダーカット状に組み付き固定した請求項１、２または３記載の合成樹脂製壜体。
【請求項５】
壜本体(1)胴部(5)を矩形筒状とした請求項１、２、３または４記載の把手付き合成樹脂製壜体。
【請求項６】
壜本体(1)胴部(5)の上後部に凹部(9)を形成し、該凹部(9)の後方に把持片(12)を配設する構成とした請求項１、２、３、４または５記載の把手付き合成樹脂製壜体。
【請求項７】
壜本体(1)をポリエチレンテレフタレート系樹脂製の２軸延伸ブロー成形品とした請求項１、２、３、４、５または６記載の把手付き合成樹脂製壜体。
【発明の詳細な説明】
【技術分野】
【０００１】
本発明は、把手を組み付き固定した合成樹脂製壜体に関するものである。
【背景技術】
【０００２】
別体に成形された壜本体と把手とを組付けて構成される把手付き合成樹脂製壜体の代表的なものとして、特許文献１に示される壜体がある。図７は特許文献１に示される把手付き壜体の一部分を縦断した正面図であり、容器本体１０１と把持用把手１０３とからなり、容器本体１０１は、ポリエチレンテレフタレートを主たる原料としたポリエステル樹脂を２軸延伸ブロー成形して、口栓部１０５、肩部１０６、胴部１０７及び底部を形成し、胴部１０７には把手取付用凹部１０２が形成してある。
【０００３】
そして、把持用把手１０３は、把持部１３１と上下から容器本体１０１の把手取付用凹部１０２に延びる係止部１０４とからなり、その係止部１０４の先端側の係止突起１４１が、把手取付用凹部１０２の上下面１２１，１２２の奥部に形成された係合凹所１２１ａ，１２２ａに凹凸の係合状態によって、容器本体１０１に取付けられる。
【特許文献１】特開２０００−６９３７号公報
【発明の開示】
【発明が解決しようとする課題】
【０００４】
上記説明した形状の把手は、特には大型の壜体を中心として便利に使用されているが、上下の２箇所の係合凹所１２１ａ，１２２ａで容器本体１０１に組み付き固定されるため、内容液を充填した壜体の重量に係る荷重がこの２箇所に集中する。このため係止部１０４の先端側の係止突起１４１の係合凹所１２１ａ，１２２ａへの嵌合構造等を高精度に、そして容器本体および把手を肉厚にして高剛性状態になるよう設計しないと把手により壜体を安定した状態で支えることが困難になる場合ある。
【０００５】
そこで、本発明は簡単な構造で、安定した荷重分散が可能で、成形、組み立てが容易な把手、およびその組み付き構造の創出を課題とし、低コストで、安定して使用可能な把手付き合成樹脂製壜体を提供することを目的とする。
【課題を解決するための手段】
【０００６】
上記技術的課題を解決する手段のうち、請求項１記載の発明の手段は、
壜本体と、この壜本体の上部後方に起立配設される（手で把持するための部分である）把持片の上端部から前方に嵌合頭片を延設し、下部から左右前方に壜本体の胴部を左右から挟持する一対の嵌合腕片を延設した把手部から構成したこと、
嵌合頭片の先端部を壜本体の口筒部下端部に形成されたネックリングに、そして前記一対の嵌合腕片の先端部を壜本体胴部の両側面に突設した一対の嵌合凸部の基端部にそれぞれアンダーカット状に組み付け固定したこと、
にある。
【０００７】
請求項１記載の上記構成により、把手部は壜本体のネックリング、および胴部の両側面に突設した一対の嵌合凸部の基端部の計３箇所でアンダーカット状に組み付き固定されており、内容液を充填した状態の壜本体の重量をこの３箇所で荷重を分散して支えることができ、壜本体の後方に配設した把持片を把持しての内容液の注出操作等を安定して確実に実施することができる。
【０００８】
また、上記のように壜本体の荷重を口筒部、胴部の両側面で分散させた状態で把手部で支えるので、たとえば前述した従来の把手付き壜体のように胴部の後部壁にのみに荷重が集中しないので、壜本体が比較的薄肉なものであっても荷重で壜本体が変形することもなく安心して使用することができる。
【０００９】
また、把手部も比較的薄肉の板状片の組み合わせで形成することが可能であり、さらにはこの把手部を比較的柔軟性を有する合成樹脂材料で形成することもでき、把手部を容易に壜本体にアンダーカット状に組み付き固定することが可能となる。
【００１０】
請求項２記載の発明の手段は、請求項１記載の発明において、嵌合頭片の先端部に頭片環状部を、そして一対の嵌合腕片の先端部に腕片環状部を形成し、この頭片環状部と腕片環状部をそれぞれネックリングの基端部および嵌合凸部の基端部に外嵌させた状態でアンダーカット状に組み付き固定したこと、にある。
【００１１】
請求項２記載の上記構成により、頭片環状部および腕片環状部をそれぞれネックリングの基端部および一対の嵌合凸部の基端部に外嵌した状態でアンダーカット状に組み付き固定するので、各アンダーカット状態からの脱離を確実に防ぐことができると共に、各組み付き固定部分でのがたつきを抑制することができ、より安定した状態で壜体を把持して内容液の注出等の操作を実施することができる。
【００１２】
請求項３記載の発明の手段は、請求項２記載の発明において、腕片環状部を、嵌合凸部の基端部の少なくとも下半分部分にアンダーカット状に組み付き固定すること、にある。
【００１３】
腕片環状部の、腕片環状部への組み付け固定は、組み付け操作性も考慮に入れて、必ずしもその基端部の全周に亘ってアンダーカット状に組み付け固定する必要はないが、請求項３記載の上記構成にあるように嵌合凸部の基端部の少なくとも下半分部分にアンダーカット状に組み付き固定することにより、嵌合凸部におけるアンダーカット状態からの脱離を防ぐことができ、当該組み付き固定部分でのがたつきを抑制することができる。
【００１４】
また、上記のように少なくとも腕片環状部を嵌合凸部の基端部の下半分部分にアンダーカット状に組み付き固定するようにしておけば、把手を把持して内容液の入った壜体を持ち上げたときには、重量をこの下半分部分のアンダーカット状の組み付き部分でしっかり支えることができ、安定した状態で壜体を取り扱うことができる。
【００１５】
請求項４記載の発明の手段は、請求項１、２または３記載の発明において、インサート成形方法により嵌合腕片の先端部を壜本体胴部の両側面に突設した嵌合凸部の基端部にアンダーカット状に組み付き固定したこと、にある。
【００１６】
通常壜本体に予め成形した嵌合頭片および嵌合腕片の先端部を押し込むようにしてアンダーカット状の組み付きを達成するが、インサート成形法により嵌合腕片の先端部を壜本体胴部の両側面に突設した嵌合凸部の基端部にアンダーカット状に組み付き固定することができ、嵌合腕片の胴部の両側面への組み付き固定をより確実に達成することができる。
【００１７】
なおこの際、同時に嵌合頭片をインサート成形によりネックリングに組み付き固定することは困難であるので、嵌合頭片のネックリングへの組み付けは後工程で実施する。
【００１８】
請求項５記載の発明の手段は、請求項１、２、３または４記載の発明において、壜本体の胴部を矩形筒状としたこと、にある。
【００１９】
請求項５載の上記構成により、胴部の両側面が平行に相対向して位置するので、一対の嵌合腕片により胴部の両側面を左右から安定した姿勢で挟持して組み付き固定できる。
【００２０】
請求項６載の発明の手段は、請求項１、２、３、４または５記載の発明において壜本体胴部の上後部に凹部を形成し、該凹部の後方に把持片を配設する構成とすること、にある。
【００２１】
請求項６記載の上記構成により、壜本体胴部の上後部に形成された凹部により壜本体壁と把持片の間に把持片を把持する際、手を入れることができ、安定した注出姿勢を確保できる。また把持片が壜本体から大きく出っ張ることもないので壜体の保管、陳列の際に都合が良い。
【００２２】
請求項７記載の発明の手段は、請求項１、２、３、４、５または６記載の発明において、壜本体をポリエチレンテレフタレート系樹脂製の２軸延伸ブロー成形品としたこと、にある。
【００２３】
飲料用ボトル等として幅広く使用され、高温および低温でもすぐれた機械的特性を発揮するＰＥＴ系樹脂製の２軸延伸ブロー成形の壜本体を、把手部を付けてさまざまな用途に幅広く使用できる。
【００２４】
なお、ＰＥＴ系樹脂としては、主としてＰＥＴが使用されるが、ＰＥＴ樹脂の本質が損なわれない限り、エチレンテレフタレート単位を主体として、他のポリエステル単位を含む共重合ポリエステルも使用できると共に、たとえばガスバリア性や耐熱性を向上させるためにナイロン系樹脂、ポリエチレンナフタレート樹脂等の樹脂をブレンドして使用することもできる。共重合ポリエステル形成用の成分としては、たとえばイソフタル酸、ナフタレン２，６ジカルボン酸、アジピン酸等のジカルボン酸成分、プロピレングリコール、１，４ブタンジオール、テトラメチレングリコール、ネオペンチルグリコール、シクロヘキサンジメタノール、ジエチレングリコール等のグリコール成分を挙げることができる。
【００２５】
さらには、ＰＥＴ系樹脂製壜体は、ＰＥＴ樹脂製壜体としての本質が損なわれない限り、たとえば耐熱性、ガスバリア性の向上のためにＰＥＴ樹脂／ナイロン樹脂／ＰＥＴ樹脂のようにナイロン樹脂等の中間層を有したものであっても良い。
【発明の効果】
【００２６】
本発明は上記した構成であり、以下に示す効果を奏する。
請求項１記載の発明にあっては、内容液を充填した壜本体の重量を口筒部、胴部両側面の３箇所で分散させて支えることができ、壜本体の後方に配設した把持片を把持しての内容液の注出操作等を安定して実施することができる。
【００２７】
また、胴部の一部に荷重が集中することがないので、壜本体が比較的薄肉なものであっても安心して使用することができる。また把手部も比較的薄肉の板状片の組み合わせで形成すること、さらにはこの把手部に比較的柔軟性を有する合成樹脂材料を使用することができ、把手部およびこの把手部の組み付き固定部分の構造を簡単な構造として、成形およびアンダーカット状の組み立ての容易な壜体とすることができる。
【００２８】
請求項２記載の発明にあっては、把手部の組み付き固定部分を環状とすることにより、各アンダーカット状態からの脱離を確実に防ぐことができると共に、各組み付き固定部分でのがたつきを抑制することができ、より安定して壜体を使用することができる。
【００２９】
請求項３記載の発明にあっては、嵌合凸部の基端部の少なくとも下半分部分にアンダーカット状に組み付き固定することにより、嵌合凸部におけるアンダーカット状態からの脱離を防ぐことができ、当該組み付き固定部分でのがたつきを抑制することができる。また、壜体を持ち上げたときには、重量をこの下半分部分のアンダーカット状の組み付き部分でしっかり支えることができ、安定した状態で壜体を取り扱うことができる。
【００３０】
請求項４記載の発明にあっては、インサート成形法により、嵌合腕片の胴部の両側面への組み付き固定をより確実に達成することができる。
【００３１】
請求項５記載の発明にあっては、胴部の両側面が平行に相対向して位置するので、胴部の両側面を左右から安定した姿勢で挟持することができ、嵌合腕片をより安定した姿勢で組み付き固定できる。
【００３２】
請求項６記載の発明にあっては、壜本体壁と把持片の間に把持片を把持する際の手を入れることができ、安定した注出姿勢を確保でき、また把持片が壜本体から大きく出っ張ることもないので壜体の保管、陳列の際に都合が良い。
【００３３】
請求項７記載の発明にあっては、ＰＥＴ系樹脂製の２軸延伸ブロー成形の壜体本体を、把手部を付けてさまざまな用途に幅広く使用できる。
【発明を実施するための最良の形態】
【００３４】
以下本発明の実施の形態を図面を参照して説明する。
図１〜図５は本発明の把手付き合成樹脂製壜体の一実施例を示し、壜本体１は２軸延伸ブロー成形の１．５Ｌ用のＰＥＴ樹脂製のものである。この壜本体１の形状は全体としては長矩形筒状であり、口筒部２、肩部４、胴部５、底面を陥没状に形成した底部６を有し、後部の肩部４から胴部５上部にかけての部分に凹部９が形成されている。
【００３５】
また、口筒部２の下端部には周条にネックリング３が形成されており、胴部５の両側面５ａにはこの側面５ａの略全幅に亘って楕円状の嵌合凸部７が突設されている。
【００３６】
図４は把手部１１の全体斜視図である。この把手部１１は合成樹脂製の射出成形品であり、手で把持するための縦長板片状の把持片１２を有し、この把持片１２の上端部から前方に嵌合頭片１３が延設されており、その先端部には壜本体１のネックリング３にアンダーカット状に組み付き固定する頭片環状部１４が形成されている。
【００３７】
また、把持片１２の下端部から左右前方に、胴部５を左右から挟持する一対の嵌合腕片１５が延設されており、その先端部には壜本体１の側面５ａに突設された嵌合凸部７の基端部にアンダーカット状に組み付き固定する腕片環状部１６が形成されている。
【００３８】
本実施では頭片環状部１４および腕片環状部１６での壜本体１へのアンダーカット状の組み付き固定操作（工程）を容易とするため、把手部１１はポリプロピレン、低密度ポリエチレン、ゴムをブレンドしたポリプロピレン等の比較的柔軟性を有する合成樹脂材料から形成している。
【００３９】
さらに、ネックリング３の乗り越えを容易とするため、頭片環状部１４に複数箇所に切り込み１４ａを形成していると共に、この頭片環状部１４の内周縁近傍の肉厚を０．７ｍｍ程度にしている。また腕片環状部１６についてもその環の幅を３ｍｍ程度そして肉厚を１．５ｍｍ程度として、環を拡径変形させながら嵌合凸部７の基端部にアンダーカット状に組み付き固定できるようにしている。
【００４０】
図１、図２および図３は壜本体１に把手部１１が組み付き固定された状態を示すが、頭片環状部１４はその内周縁部をネックリング３基端部に外嵌した状態でこのネックリング３にアンダーカット状に組み付き固定し（図２の上方に部分縦断して示した部分拡大図参照）、腕片環状部１６も嵌合凸部７の基端部に形成された周溝７ａに外嵌した状態で嵌合凸部７にアンダーカット状に組み付き固定されている。
【００４１】
そして上記のような組み付き固定状態で、内容液を充填した壜本体１の重量に係る荷重を３箇所の組み付き固定部分で効果的に分散させることができ、壜本体１の大きな変形もなく、組み付き固定部分におけるがたつきもなく、安定した姿勢で注出操作等を安心して実施することができる。
【００４２】
ここで、本実施例では腕片環状部１６を嵌合凸部７の基端部に形成された周溝７ａに嵌合することにより、嵌合凸部７の全周に亘ってアンダーカット状に組み付き固定する構成としたが、組み付け操作性を良くするためにたとえば嵌合凸部７の下半部分についてだけアンダーカット状に組み付き固定することもでき、内容液を充填したときの壜体の重量、アンダーカットの深さ、把持片による壜体の把持性を考慮して組み付き固定部分の形状を決めることができる。
【００４３】
また、嵌合頭片１３の先端部は必ずしも環状である必要はなく、たとえば組み付き固定の操作性を考えて図６に示したように図５に示した頭片環状部１４の先端部分を除いたＣ字状嵌合部１４ａとすることもできる。また嵌合腕片１５の先端部についても必ずしも環状である必要はない。
【００４４】
また、腕片環状部１６についてみると、インサート成形方法によりこの腕片環状部１６を嵌合凸部７の基端部にアンダーカット状に組み付き固定することもできる。なおインサート成形の際には、嵌合頭片１３は上方に起立させた姿勢としておき、ネックリング３への組み付けは後工程で実施する。
【００４５】
また、本実施例の壜体では壜本体１の後部の肩部４から胴部５上部にかけての部分に凹部９が形成されており、この凹部９の後方に把持片１２を配設しているので、壜本体１の壁と把持片１２の間に把持片を把持する際、手を入れることができ、安定した注出姿勢を確保できると共に、把持片１２が壜本体１から大きく出っ張ることもないので壜体の保管、陳列の際に都合が良い。勿論、使用目的により凹部９を設けないで、把持片１２を壜本体１の後方に出っ張るように配設することもできる。
【００４６】
また、本実施例では楕円状の嵌合凸部７を胴部５の側面５ａの略全幅に亘って突設しており、より効果的に壜本体１の荷重の分散をすることできると共に、この嵌合凸部７に凹凸状に文字を形成したり、ラベルを貼付する等して、装飾あるいは表示部分として有効に活用することもできる。また、この嵌合凸部７の形状は楕円状に限定されるものではなく円形、長円形、矩形等、外観と、組み付け操作性、組み付き固定状態を考慮して適宜選択することができる。
【００４７】
なお、本願発明は上記説明した実施例に限定されるものではない、たとえば壜本体はＰＥＴ樹脂製に限定されるものではなく、ポリエチレン製、ポリプロピレン製等、従来より使用されている合成樹脂製のものを使用することができ、壜本体の形状も矩形筒状に限定されるものではない。
【産業上の利用可能性】
【００４８】
本発明の把手付き合成樹脂製壜体は、簡単な構造で安定した荷重分散が可能であり、低コストで、安定して使用できるものであり、幅広い用途への展開が期待できる。
【図面の簡単な説明】
【００４９】
【図１】本発明の壜体の一実施例を示す全体斜視図である。
【図２】図１の壜体の側面図である。
【図３】図１の壜体の背面図である。
【図４】図１の壜体の把手部の全体斜視図である。
【図５】図４の把手部の嵌合頭片先端部の平面図である。
【図６】把手部の嵌合頭片先端部の他の例を示す平面図である。
【図７】把手付き壜体の従来例の部分縦断側面図である。
【符号の説明】
【００５０】
１  ； 壜本体
２  ；口筒部
３  ；ネックリング
４  ；肩部
５  ；胴部
５ａ；側面
６  ；底部
７  ；嵌合凸部
７ａ；周溝
８  ；アンダーカット部
９  ；凹部
１１；把手部
１２；把持片
１３；嵌合頭片
１４；頭片環状部
１４ａ；切り込み
１４’；Ｃ字状嵌合部
１５；嵌合腕片
１６；腕片環状部
１０１；容器本体
１０２；把手取付け用凹部
１０３；把持用把手
１０４；係止部
１０５；口栓部
１０６；肩部
１０７；胴部
１２１；上面
１２１ａ；係合凹所
１２２；下面
１２２ａ；係合凹所
１３１；把持部
１４１；係止突起
【図１】
2006008233.tif 000003
【図２】
2006008233.tif 000004
【図３】
2006008233.tif 000005
【図４】
2006008233.tif 000006
【図５】
2006008233.tif 000007
【図６】
2006008233.tif 000008
【図７】
2006008233.tif 000009